(57)【要約】      （修正有）【課題】粘着テープを使用することなくセンサ部及びケーブルを固定でき、かつ生体信号にノイズが混じることを抑制できる生体情報検出装置を提供する。【解決手段】被験者の生体情報に関する信号を検出可能な電極パッド４と、電極パッドに接続され、信号を送信可能なケーブル２３と、を備え、電極パッドは、被験者に粘着可能な当接面を有する導電性ゲルシート４２と、ケーブルが接続され、かつ導電性ゲルシートの当接面とは反対側の上面に配置され、信号を検出可能なセンサ部４３と、導電性ゲルシートの上面側に固定される第１固定部材４５と、第１固定部材とともにケーブルの一部を挟んでセンサ部及びケーブルの一部を固定する第２固定部材４６と、を有し、第１固定部材及び第２固定部材のそれぞれは、相互に着脱可能な面ファスナーにより構成されている。【選択図】図４
2019088509.tif 000002
【特許請求の範囲】
【請求項１】
被験者の生体情報に関する信号を検出可能な電極パッドと、
前記電極パッドに接続され、前記信号を送信可能なケーブルと、を備え、
前記電極パッドは、前記被験者に粘着可能な当接面を有する導電性ゲルシートと、
前記ケーブルが接続され、かつ前記導電性ゲルシートの前記当接面とは反対側の上面に配置され、前記信号を検出可能なセンサ部と、
前記導電性ゲルシートの前記上面側に固定される第１固定部材と、
前記第１固定部材とともに前記ケーブルの一部を挟んで前記センサ部及び前記ケーブルの一部を固定する第２固定部材と、を有し、
前記第１固定部材及び前記第２固定部材のそれぞれは、相互に着脱可能な面ファスナーにより構成されていることを特徴とする生体情報検出装置。
【請求項２】
前記電極パッドは、前記ケーブルの先端に前記センサ部に着脱可能に接続するクリップ部を有することを特徴とする請求項１に記載の生体情報検出装置。
【請求項３】
前記電極パッドは、前記導電性ゲルシートの前記上面に前記導電性ゲルシートよりも外径の大きい表面材が設けられ、
前記第１固定部材は、前記表面材の上に固定されていることを特徴とする請求項１に記載の生体情報検出装置。
【発明の詳細な説明】
【技術分野】
【０００１】
本発明は、患者及び胎児等の被験者の生体情報に関する信号を検出する生体情報検出装置に関する。
【背景技術】
【０００２】
生体の皮膚表面に貼着して生体の生体信号を取得する生体用電極として、例えば特許文献１に記載されたものが知られている。
特許文献１に記載の生体用電極は、それぞれの一端が積層配置され、下面前面に粘着剤層が形成された上下一対の上部保持部材及び下部保持部材と、各保持部材間に挟持されるフィルム状の電極部材と、を備え、上部保持部材の積層される側の一辺が電極部材の一辺と合致するように上部保持部材が電極部材の全面を被覆し、電極部材を下部保持部材の積層側の一辺近傍に密着保持させている。このような生体用電極により生体信号を取得する際には、生体の皮膚表面に保持部材及び電極部材を、それぞれ粘着剤層を介して貼着し、ケーブルの先端に設けられた挟持部材で電極部材を挟持する。これにより、電極部材により検出された生体信号がケーブルを介して送信される。
【先行技術文献】
【特許文献】
【０００３】
【特許文献１】特開平１０−２７２１１０号公報
【発明の概要】
【発明が解決しようとする課題】
【０００４】
しかしながら、特許文献１の構成では、粘着テープでケーブルや挟持部材（クリップ部）を固定することが望ましいが、粘着テープの粘着剤がケーブルやクリップ部に付着し、汚れるため、ケーブルを再利用する場合に粘着剤による汚れを除去する必要があり、煩雑である。
また、例えば被験者が妊娠中の母親である場合に、母体の動き及び母体内の胎児の胎動などにより生体用電極等のセンサ部やケーブルが動くことがあり、生体信号にノイズが混じってしまう。
【０００５】
本発明は、このような事情に鑑みてなされたもので、粘着テープを使用することなくセンサ部及びケーブルを固定でき、かつ生体信号にノイズが混じることを抑制できる生体情報検出装置を提供することを目的とする。
【課題を解決するための手段】
【０００６】
本発明の生体情報検出装置は、被験者の生体情報に関する信号を検出可能な電極パッドと、前記電極パッドに接続され、前記信号を送信可能なケーブルと、を備え、前記電極パッドは、前記被験者に粘着可能な当接面を有する導電性ゲルシートと、前記ケーブルが接続され、かつ前記導電性ゲルシートの前記当接面とは反対側の上面に配置され、前記信号を検出可能なセンサ部と、前記導電性ゲルシートの前記上面側に固定される第１固定部材と、前記第１固定部材とともに前記ケーブルの一部を挟んで前記センサ部及び前記ケーブルの一部を固定する第２固定部材と、を有し、前記第１固定部材及び前記第２固定部材のそれぞれは、相互に着脱可能な面ファスナーにより構成されている。
【０００７】
本発明では、電極パッドを構成する導電性ゲルシートの上面におけるセンサ部の周囲に固定される第１固定部材と、第２固定部材とによりセンサ部及びケーブルの一部が固定されるので、電極パッドにより被験者の生体情報に関する信号を検出する際に、被験者の動き（例えば、被験者が母体内の胎児である場合、母体の動きや母体内の胎児の胎動）があった場合、及び、ケーブルが引っ張られた場合でも、センサ部及びケーブルが固定部材により固定されるので、検出された生体情報に関する信号にノイズが混じることを抑制できる。
また、第１固定部材及び第２固定部材のそれぞれが相互に着脱可能な面ファスナーにより構成されているので、電極パッドにおけるセンサ部及びケーブルの位置を自由に設定でき、その着脱も容易にできる。さらに、センサ部及びケーブルを再利用する際に、これらが粘着剤により汚れることがないことから、清掃の必要がないため、センサ部及びケーブルを再利用する場合に、容易に再利用できる。
【０００８】
本発明の生体情報検出装置の好ましい態様としては、前記電極パッドは、前記ケーブルの先端に、前記センサ部に着脱可能に接続されるクリップ部を有するとよい。
上記態様では、クリップ部がセンサ部に着脱可能に構成されているため、クリップ部及びケーブルを再利用する場合に、さらに容易に再利用できる。
【０００９】
本発明の生体情報検出装置の好ましい態様としては、前記電極パッドは、前記導電性ゲルシートの前記上面に前記導電性ゲルシートよりも外径の大きい表面材が設けられ、前記第１固定部材は、前記表面材の上に固定されているとよい。
ここで、第１固定部材は面ファスナーにより構成されているので、電極パッドが被験者に装着された際に第１固定部材が直接肌に触れると、肌が荒れる可能性がある。
これに対し、上記態様では、表面材を介して第１固定部材が導電性ゲルシート上に固定されているので、例えば、表面材が不織布等により構成されていれば、被験者の肌荒れを抑制できる。
【発明の効果】
【００１０】
本発明によれば、粘着テープを使用することなくセンサ部及びケーブルを固定でき、かつセンサ部により検出される被験者の生体情報に関する信号にノイズが混じることを抑制できる。
【図面の簡単な説明】
【００１１】
【図１】本発明の一実施形態に係る生体情報検出装置の概略攻勢を示す模式図である。
【図２】上記実施形態における生体情報検出装置の電極パッドを第２固定部材側から見た平面図である。
【図３】図２に示すＡ１−Ａ１線にてセンサ部が固定される前の第１電極パッドを切断した断面を示す断面図である。
【図４】図２に示すＡ１−Ａ１線にてセンサ部が固定された第１電極パッドを切断した断面の概略を示す断面図である。
【図５】上記実施形態における電極パッドにおいてケーブルが屈曲した状態で固定される例を示す平面図である。
【図６】上記実施形態における電極パッドにおいてケーブルが引き出し方向とは異なる方向に湾曲した状態で固定される例を示す平面図である。
【図７】上記実施形態における導電性ゲルシート、センサ部、クリップ部及びケーブルをそれぞれ複数有する例を示す平面図である。
【図８】上記実施形態の変形例における電極パッドを構成する第１固定部材、表面材を及びゲルシートを第１固定部材側から見た平面図である。
【図９】図７に示すＢ１−Ｂ１線にて第１固定部材、表面材、ゲルシート及び剥離フィルムを切断し、これにセンサ部、ケーブル及び第２固定部材が配置される例を示す断面図である。
【図１０】上記実施形態の変形例における電極パッドの断面を示す断面図である。
【発明を実施するための形態】
【００１２】
以下、本発明の生体情報検出装置の実施形態について、図面を参照して説明する。
［生体情報検出装置の概略構成］
本実施形態の生体情報検出装置１は、図１に示すように、本体２及び複数の電極パッド４を備えている。本体２は、筐体２１、表示部２２及び複数のケーブル２３を備え、筐体２１内には、記録紙２４が設けられている。これら複数のケーブル２３のそれぞれは、対応する各電極パッド４に接続自在に設けられている。
電極パッド４は、母体内にいる胎児（被験者）の生体情報に関する電気信号を受信し、この生体情報に関する電気信号（以下、生体電気信号という）を本体２にケーブル２３を介して送信する。なお、生体電気信号には、例えば、心拍信号や呼吸信号、筋電信号等が含まれる。
【００１３】
本体２は、電極パッド４から出力された生体電気信号を受信し、母体内にいる胎児の心拍数（胎児心拍数）を演算し、これらを表示部２２に表示するとともに、筐体２１内に設けられた記録紙２４に胎児心拍数を印字する。この本体２は、胎児心拍数の表示や印字と共に、または、表示や印字に代えて、胎児心拍数を図示しないメモリに格納してもよい。
本実施形態の生体情報検出装置１は、電極パッド４におけるセンサ部４３及びケーブル２３の固定構造に特徴を有している。
なお、図１においては、筐体２１には、４本のケーブル２３が接続されている例を示したが、実際には多数のケーブル２３が設けられている。
また、以下の説明では、電極パッド４が母体に装着される際に母体に当接する面を当接面４ａとし、母体と反対側に位置する面を天面４ｂとして説明する。
【００１４】
［電極パッドの構成］
電極パッド４は、母体に装着可能で、該母体内の胎児の生体情報に関する信号（生体電気信号）を検出する。この電極パッド４は、図４に示すように、当接面４ａ側から順に、導電性ゲルシート４２の当接面４ａ側に位置する剥離フィルム４１と、被験者に粘着可能な当接面４ａを有する導電性ゲルシート４２と、導電性ゲルシート４２の当接面４ａとは反対側の上面に配置され、クリップ部４４を介してケーブル２３が接続されるセンサ部４３と、ケーブル２３の先端に接続され、センサ部４３に接続されるクリップ部４４と、導電性ゲルシート４２の上面においてセンサ部４３の周囲に位置し、センサ部４３、クリップ部４４及びケーブル２３を固定するための第１固定部材４５と、天面４ｂを構成し、第１固定部材４５とともにセンサ部４３、クリップ部４４及びケーブル２３を固定する第２固定部材４６と、を備えている。
【００１５】
この電極パッド４は、図２に示すように、平面視で略円形状の導電性ゲルシート４２の略中央にセンサ部４３が設けられ、該センサ部４３に接続されたケーブル２３が導電性ゲルシート４２の半径方向に延びており、このケーブル２３の端部は、上記本体２に接続されている。
以下、この電極パッド４の各構成について詳しく説明する。
【００１６】
剥離フィルム４１は、導電性ゲルシート４２の当接面４ａに対向して配置され、該剥離フィルム４１を剥がすことにより、導電性ゲルシート４２が露出し、電極パッド４が母体に貼付可能となる。この剥離フィルム４１は、平面視で略矩形状に形成され、導電性ゲルシート４２よりも若干大きなサイズに形成されている。
導電性ゲルシート４２は、母体に粘着可能な導電性を有するシートであり、剥離フィルム４１側から見た場合に、センサ部４３よりも大きく形成されている。この導電性ゲルシート４２は、母体に装着されることにより、母体内の胎児の生体電気信号をセンサ部４３に伝達させる。
【００１７】
センサ部４３は、母体内にいる胎児の生体情報に関する電気信号（生体電気信号）を受信する。このセンサ部４３は、平面視で略円形状に形成される皿電極であり、図２〜図４に示すように、導電性ゲルシート４２の上面における中央に配置される。また、センサ部４３の周囲には、図３及び図４に示すように、第１固定部材４５が設けられ、この第１固定部材４５は、第２固定部材４６とともにセンサ部４３等を固定する他、絶縁層として機能する。これにより、導電性ゲルシート４２を介して検出された生体電気信号は、センサ部４３のみに伝達されることとなる。また、このようなセンサ部４３の天面４ｂ側の面には、突出部４３１が形成されている。
ケーブル２３の先端に設けられたクリップ部４４は、センサ部４３とケーブル２３とを接続する機能を有し、当接面４ａ側の面に凹部４４１を有している。この凹部４４１は、センサ部４３の突出部４３１に応じた形状とされており、この凹部４４１に突出部４３１が嵌合することにより、センサ部４３とクリップ部４４とが接続される。これにより、センサ部４３により検出された生体電気信号がクリップ部４４を介してケーブル２３に向けて送信される。
【００１８】
［第１固定部材及び第２固定部材の構成］
第１固定部材４５は、例えば、面ファスナーにより構成され、導電性ゲルシート４２上におけるセンサ部４３を囲むように配置されている。一般的に、面ファスナーは、フック状に起毛された側とループ状に密集して起毛された側とを押し付けることによりこれらが貼り付けられ、貼り付け及び取り外しを自在にできるようになっている。
また、第２固定部材４６は、電極パッド４の天面４ｂを構成し、天面４ｂとは反対側の面に多数のフックを備える面ファスナーにより構成される係合面４６１を有している。この係合面４６１には、図３及び図４に示すように、鍵状のフックが多数設けられている。
【００１９】
一方、第１固定部材４５は、ループ状に密集して起毛された面ファスナーにより構成され、多数のフック状に起毛された係合面４６１に係合する被係合面４５１を有し、第２固定部材４６に着脱可能に構成されている。この被係合面４５１には、図３及び４に示すように、係合面４６１に形成された鍵状のフックを絡めて固定するための多数のループが形成されている。このため、第１固定部材４５及び第２固定部材４６は、図３及び図４に示すように、係合面４６１及び被係合面４５１が対向するように設けられ、これによりセンサ部４３、クリップ部４４及びケーブル２３の一部が固定される。
【００２０】
［電極パッドにおけるセンサ部等の固定方法］
まず、図３に示すように、剥離フィルム４１上に導電性ゲルシート４２を配置し、導電性ゲルシート４２の天面４ｂ側の中央にセンサ部４３を配置する。そして、導電性ゲルシート４２上におけるセンサ部４３の周囲に第１固定部材４５を配置する。具体的には、第１固定部材４５は、センサ部４３を囲んでおり、センサ部４３を中心として外側へ広がるように配置されている。言い換えると、第１固定部材４５は、センサ部４３の外周部から導電性ゲルシート４２の端部まで延在している。これにより、センサ部４３またはクリップ部４４から引き出されたケーブル２３の一部も固定することができる。
このような導電性ゲルシート４２に配置されたセンサ部４３に対してクリップ部４４を接続させる。具体的には、センサ部４３の突出部４３１をクリップ部４４の凹部４４１に嵌合させて、これらを接続する。そして、図４に示すように、クリップ部４４の上側から第２固定部材４６をクリップ部４４及び第１固定部材４５に対して押し付けることにより、センサ部４３、クリップ部４４及びケーブル２３の一部が第１固定部材４５及び第２固定部材４６により固定され、電極パッド４となる。
【００２１】
そして、このような電極パッド４は、剥離フィルム４１を剥離した後、導電性ゲルシート４２の当接面４ａを母体に当接させることにより母体に装着され、母体内にいる胎児の生体電気信号が検出されることとなる。そして、電極パッド４による生体電気信号の検出が終了すると、母体から電極パッド４を取り外す。
その後、第２固定部材４６を剥がした後、クリップ部４４をセンサ部４３から取り外して、導電性ゲルシート４２、センサ部４３及び第１固定部材４５を廃棄する。この点、第１固定部材４５及び第２固定部材４６のそれぞれが面ファスナーにより構成されているので、クリップ部４４及びケーブル２３に粘着剤による汚れが付くことがないため、クリップ部４４及びケーブル２３は、再利用することが可能となる。
このため、電極パッド４は、剥離フィルム４１、導電性ゲルシート４２、センサ部４３及び第１固定部材４５を新たに用意し、これに再利用した（前回の電極パッド４を構成していた）クリップ部４４、ケーブル２３及び第２固定部材４６を上述したように固定することで、新たな電極パッド４として用いることができる。
なお、センサ部４３は、再利用しないこととしたが、これに限らず、例えば、センサ部４３を導電性ゲルシート４２から取り外して、清掃した後、再利用することとしてもよい。
【００２２】
上記実施形態では、導電性ゲルシート４２のセンサ部４３が配置される側に位置する第１固定部材４５と、第２固定部材４６とによりセンサ部４３、クリップ部４４及びケーブル２３の一部が固定されるので、電極パッド４により被験者の生体電気信号を検出する際に、被験者の動きがあった場合、及び、ケーブル２３が引っ張られた場合でも、各固定部材４５，４６によりセンサ部４３及びケーブル２３が固定されるので、検出された生体電気信号にノイズが混じることを抑制できる。
【００２３】
また、第１固定部材４５及び第２固定部材４６のそれぞれが相互に着脱可能な面ファスナーにより構成されているので、電極パッド４におけるセンサ部４３及びケーブル２３の位置を自由に設定でき、その着脱も容易にできる。例えば、図５に示すように、ケーブル２３を屈曲させた状態で固定することもでき、これによりケーブル２３が引っ張られた場合でも、上記屈曲させた部位によりその張力を吸収して、センサ部４３に伝達されることを抑制できる。
また、クリップ部４４及びケーブル２３を再利用する際に、該クリップ部４４及びケーブル２３が粘着剤により汚れることがないことから、清掃の必要がないため、クリップ部４４及びケーブル２３を再利用する際に、これらを容易に再利用できる。
【００２４】
また、本発明は上記実施形態に限定されるものではなく、本発明の趣旨を逸脱しない範囲において種々の変更を加えることが可能である。
例えば、上記実施形態では、電極パッド４は、導電性ゲルシート４２、センサ部４３、クリップ部４４及びケーブル２３を一組備える構成であるが、例えば、これらを複数組備える構成としてもよい。例えば、図７に示すように、導電性ゲルシート４２、センサ部４３、クリップ部４４、及びケーブル２３を３組備えた電極パッド４Ａであってもよい。この場合、剥離フィルム４１Ａ及び第２固定部材４６は、図７に示すように、３組の導電性ゲルシート４２、センサ部４３、クリップ部４４を配置可能なサイズに拡大され、図示は省略するが、第１固定部材４５のそれぞれは、各導電性ゲルシート４２の上面にそれぞれ配置されている。
なお、その組数も３つに限らず、２組であってもよいし、４組以上であってもよい。
【００２５】
また、上記実施形態では、センサ部４３及びクリップ部４４を備えることとしたが、これに限らず、例えば、センサ部４３Ｂのみを備えることとしてもよい。
図８は、上記実施形態の変形例における電極パッド４Ｂを構成する剥離フィルム４１Ａ、導電性ゲルシート４２、第１固定部材４５Ｂ及び表面材４７を示す平面図であり、図９は、図９に示す電極パッド４Ｂの一部を図８のＢ１−Ｂ１線で切断した断面を示す断面図であり、図１０は、上記実施形態の変形例における電極パッド４Ｂの断面図である。
この電極パッド４Ｂは、図８に示すように、３つの導電性ゲルシート４２を配置可能な剥離フィルム４１Ａと、剥離フィルム４１Ａが当接面４ａに張り付けられた３つの導電性ゲルシート４２と、各導電性ゲルシート４２の上面に配置され、ケーブル２３が接続される３つのセンサ部４３Ｂ（図９及び図１０参照）と、剥離フィルム４１Ａ及び導電性ゲルシート４２のそれぞれに対向して配置される表面材４７と、表面材４７の上面に配置される第１固定部材４５Ｂと、第１固定部材４５Ｂとともにセンサ部４３Ｂを固定する第２固定部材４６Ｂ（図９及び図１０参照）と、を備えている。
【００２６】
これらのうち、表面材４７は、導電性ゲルシート４２のそれぞれより外径が大きい不織布により構成される。具体的には、表面材４７は、図９に示すように、第２固定部材４６Ａと略同じ大きさに形成され、絶縁層として機能する。この表面材４７の天面４ｂ側の面の全面には、第１固定部材４５Ｂが固定されている。また、表面材４７には、図８及び図９に示すように、センサ部４３Ｂが挿通可能な３つの開口部４７１が形成されている。
このため、各センサ部４３Ｂは、各開口部４７１を介して導電性ゲルシート４２の上面に配置されることとなる。このような電極パッド４Ｂを母体に装着するため剥離フィルム４１Ａを剥がすと、３つの導電性ゲルシート４２の間に表面材４７が露出する構成となる。すなわち、第１固定部材４５Ｂが表面材４７上に固定され、かつ、表面材４７が不織布により構成されているので、被験者の肌荒れを抑制できる。なお、表面材４７は、不織布に限られず、例えば、フォーム材や、伸縮性綿布、スポンジシート等であってもよい。
【００２７】
また、第２固定部材４６Ｂでは、係合面４６１のセンサ部４３Ｂに対向する部位以外の部位に複数の鍵状のフックが設けられている。すなわち、第２固定部材４６Ｂの係合面４６１におけるセンサ部４３Ｂに対向する部位に複数の鍵状のフックが設けられていないので、センサ部４３Ｂが第１固定部材４５Ｂ及び第２固定部材４６Ｂに固定された際の全体的な厚さ寸法（電極パッド４Ｂの厚さ寸法）を減少させることができる。さらに、第２固定部材４６Ｂがセンサ部４３Ｂ上面から無駄に浮き上がることも防止できることから、センサ部４３Ｂの外周領域近傍における係合面４６１及び被係合面４５１を強固に固定でき、センサ部４３Ｂを確実に保持することができる。
【００２８】
なお、表面材４７は、第２固定部材４６Ａと略同じ大きさに形成されることとしたが、これに限らず、例えば、各導電性ゲルシート４２上にのみ設けられることとしてもよい。また、表面材４７は、設けなくてもよい。すなわち、上記実施形態において、センサ部４３及びクリップ部４４に代えて、センサ部４３Ｂを適用してもよい。
【００２９】
上記実施形態では、係合面４６１は、鍵状のフックが多数形成されていることとしたが、これに限らず、例えば、キノコ状や釣り針状のフックが多数形成されていてもよい。
また、上記実施形態では、第２固定部材４６が多数のフックが設けられた面ファスナーであり、第１固定部材４５が多数のループが設けられた面ファスナーであることとしたが、これに限らず、これらが逆であってもよいし、フック及びループの両方が植え込まれ、フック面とループ面との区別がない形状であってもよい。
上記実施形態では、被験者は、母体内にいる胎児としたが、これに限らず、母体そのものの他、乳幼児や成人等であってもよい。
【符号の説明】
【００３０】
１  生体情報検出装置
２  本体
２１  筐体
２２  表示部
２３  ケーブル
２４  記録紙
４  電極パッド
４ａ  当接面
４ｂ  天面
４Ａ  電極パッド
４Ｂ  電極パッド
４１  剥離フィルム
４１Ａ  剥離フィルム
４２  導電性ゲルシート
４３  センサ部
４３１  突出部
４３Ｂ  センサ部
４４  クリップ部
４４１  凹部
４５  第１固定部材
４５Ｂ  第１固定部材
４５１  被係合面
４６  第２固定部材
４６Ａ  第２固定部材
４６１  係合面
４７  表面材
４７１  開口部
【図１】
2019088509.tif 000003
【図２】
2019088509.tif 000004
【図３】
2019088509.tif 000005
【図４】
2019088509.tif 000006
【図５】
2019088509.tif 000007
【図６】
2019088509.tif 000008
【図７】
2019088509.tif 000009
【図８】
2019088509.tif 000010
【図９】
2019088509.tif 000011
【図１０】
2019088509.tif 000012
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
被験者の生体情報に関する信号を検出可能な電極パッドと、
前記電極パッドに接続され、前記信号を送信可能なケーブルと、を備え、
前記電極パッドは、前記被験者に粘着可能な当接面を有する導電性ゲルシートと、
前記ケーブルが接続され、かつ前記導電性ゲルシートの前記当接面とは反対側の上面に配置され、前記信号を検出可能なセンサ部と、
前記導電性ゲルシートの前記上面側に固定される第１固定部材と、
前記第１固定部材とともに前記ケーブルの一部を挟んで前記センサ部及び前記ケーブルの一部を固定する第２固定部材と、を有し、
前記第１固定部材及び前記第２固定部材のそれぞれは、相互に着脱可能な面ファスナーにより構成され、
前記電極パッド及び前記ケーブルは、それぞれ複数設けられ、
これら複数の前記電極パッド及び前記ケーブルは、１つの前記第２固定部材上に配置されて一体化されていることを特徴とする生体情報検出装置。
【請求項２】
前記電極パッドは、前記ケーブルの先端に前記センサ部に着脱可能に接続するクリップ部を有することを特徴とする請求項１に記載の生体情報検出装置。
【請求項３】
前記電極パッドは、前記導電性ゲルシートの前記上面に前記導電性ゲルシートよりも外径の大きい表面材が設けられ、
前記第１固定部材は、前記表面材の上に固定されていることを特徴とする請求項１に記載の生体情報検出装置。
【手続補正２】
【補正対象書類名】明細書
【補正対象項目名】０００６
【補正方法】変更
【補正の内容】
【０００６】
本発明の生体情報検出装置は、被験者の生体情報に関する信号を検出可能な電極パッドと、前記電極パッドに接続され、前記信号を送信可能なケーブルと、を備え、前記電極パッドは、前記被験者に粘着可能な当接面を有する導電性ゲルシートと、前記ケーブルが接続され、かつ前記導電性ゲルシートの前記当接面とは反対側の上面に配置され、前記信号を検出可能なセンサ部と、前記導電性ゲルシートの前記上面側に固定される第１固定部材と、前記第１固定部材とともに前記ケーブルの一部を挟んで前記センサ部及び前記ケーブルの一部を固定する第２固定部材と、を有し、前記第１固定部材及び前記第２固定部材のそれぞれは、相互に着脱可能な面ファスナーにより構成され、前記電極パッド及び前記ケーブルは、それぞれ複数設けられ、これら複数の前記電極パッド及び前記ケーブルは、１つの前記第２固定部材上に配置されて一体化されている。